(57)【要約】【課題】  配信する情報をネットワークに接続された端末装置の格納先となる媒体へ格納する際、格納先となる媒体と配信サーバとの間において、格納先となる媒体を識別する個別仕様の仕組みが必要となる、との課題が存在する。また、識別子情報を有するため、媒体の優先度や容量に応じた状況によって、端末装置の格納先となる媒体へ情報を格納することが困難となる。【解決手段】  情報配信サーバから配信する情報に、格納先への優先度の設定や格納先の容量を算出することによって、格納先の媒体の優先度や容量に応じた状況によって、端末装置もしくは携帯端末装置の格納先となる媒体を特定し、配信する情報を格納することが可能となる。【選択図】  図１
2005331997.tif 000002
【特許請求の範囲】
【請求項１】
情報の利用者が利用する端末装置をネットワークを介して接続され、
前記情報を配信する情報配信サーバにおいて、
予め、端末装置における情報の格納先となる媒体の格納における優先度と媒体の格納に
おける配信指定時刻を端末装置ごとに記憶する手段と、
前記端末装置に対して、前記情報を配信する場合、当該端末装置の優先度と配信指定時
刻を検索する手段と、
前記ネットワークを介して前記端末装置に、検索された優先度および情報の容量、情報
配信日時、前記情報を配信する手段とを有し、
前記端末装置は、前記優先度に従った媒体に前記情報を格納することと前記配信指定時
刻に情報を配信することを特徴とする情報配信サーバシステム。
【請求項２】
請求項１において、
前記端末装置は、前記優先度に従った媒体に前記情報を格納する場合、当該媒体の残容
量を確認する手段を有し、
前記優先度と前記残容量に従った媒体に前記情報を格納することを特徴とする情報配信
サーバシステム。
【発明の詳細な説明】
【技術分野】
【０００１】
本発明は、ネットワークと接続された端末装置の格納先となる媒体へ配信指定時刻に情
報を配信する技術と配信する情報の優先度や容量によって、配信された情報を媒体へ格納
するための技術に関する。
【背景技術】
【０００２】
従来、端末装置の格納先となる媒体へ配信する情報を格納するものとしては、特許文献
１がある。本従来技術には、格納先となる媒体に識別子を付加し、配信される情報の格納
先を特定する特定する技術が開示されている。
【０００３】
【特許文献１】特開２００２−０４１３９３号公報
【発明の開示】
【発明が解決しようとする課題】
【０００４】
配信する情報をネットワークに接続された端末装置の格納先となる媒体へ格納する際、
格納先となる媒体と配信サーバとの間において、格納先となる媒体を識別する個別仕様の
仕組みが必要となる、との課題が存在する。また、識別子情報を有するため、媒体の優先
度や容量に応じた状況によって、端末装置の格納先となる媒体へ情報を格納することが困
難となる。
【課題を解決するための手段】
【０００５】
そこで、本発明では、配信する情報に格納先の識別子のほか、格納先に対する優先度や
情報の容量、情報の配信日時の情報を付加し、その付加情報によって、端末装置側で格納
先に対する優先度や残容量等に従った媒体に配信情報を格納することを特徴とする。
【発明の効果】
【０００６】
配信する情報を端末装置の格納先となる媒体へ格納する際、配信する情報に付加された
識別子情報から格納先の媒体を特定して格納するだけではなく、配信指定時刻に情報を配
信し、また、格納先の媒体の優先度や容量に応じた状況によって、端末装置の格納先とな
る媒体を特定し、配信する情報を格納することが可能となる。
【発明を実施するための最良の形態】
【０００７】
本発明の実施の形態について、図面を用いて説明する。本実施の形態は、配信する情報
の端末装置への媒体への格納方法を例に説明するが、本発明はそれに限定されるものでは
ない。
【０００８】
まず、本実施の形態におけるシステム構成図を図１に示す。
【０００９】
情報配信サーバ１と端末装置８、携帯端末装置４は、有線および無線のネットワーク９
を介して互いに接続されている。また、情報配信サーバ１は、配信情報生成プログラム３
と情報配信プログラム２を有し、端末装置８や携帯端末装置４は、格納制御プログラム７
にしたがって、格納媒体（メモリ）５や格納媒体（不揮発性メモリカード）６−１〜６−
ｎへ情報の格納を実行するものである。
【００１０】
以下、本実施の形態の処理内容について、説明する。
【００１１】
まず、情報配信サーバ１の機能動作について、図面を用いて説明する。
【００１２】
図２は、情報配信サーバ１の処理フロー図である。情報配信サーバ１は、図４に示すデ
ータを有する情報管理テーブル２０と図５に示すデータを有する配信スケジュール管理テ
ーブル２１と図６に示すデータを有する格納先管理テーブル２２のテーブルを有する。
【００１３】
配信情報生成２５の際、まずは、情報管理テーブル２０から配信対象レコードを抽出す
る。
【００１４】
ステップ２３において、情報管理テーブル２０の配信指定時刻５３にデータが設定され
ている場合、配信スケジュールテーブル２１に図５に示すデータとして一時的に格納する
。
【００１５】
また、ステップ２３において、配信指定時刻５３にデータが設定されていない場合や現
在時刻が配信スケジュールテーブル２１内のレコードの配信指定時刻５３のデータの時間
と同一時刻となれば、ステップ２４において、図６に示すデータを有する格納先管理テー
ブル２２から格納先管理データ５６毎に対応する格納先媒体の優先度５９を検索する。
【００１６】
ステップ２５において、優先度５９が設定されている場合は、識別子５７と優先度５９
から格納先媒体を特定する。優先度５９が設定されていない場合は、識別子５７から格納
先媒体を特定する。
【００１７】
生成される配信情報を図７に示す。
【００１８】
特定される格納先媒体は、格納先管理情報６０のデータを有する。格納先管理データ５
６が存在するデータ件数分だけ、格納先管理データ５６と識別子５７、優先度５９（設定
されている場合）の組み合わせが格納先管理情報６０として設定される。
【００１９】
ステップ２５として、図７に示す配信情報を生成し、ステップ２６にて、端末装置８も
しくは携帯端末装置４へ配信する。
【００２０】
次に、端末装置８もしくは携帯端末装置４の機能動作について、図面を用いて説明する
。
【００２１】
図３は、端末装置８もしくは携帯端末装置４の処理フロー図である。
【００２２】
情報配信サーバ１から配信された情報を端末装置８もしくは携帯端末装置４にて受信す
る。
【００２３】
ステップ３０において、情報の格納を制御するプログラムにて、特定される格納先媒体
へ格納する。
【００２４】
まず、ステップ３１において、受信した情報の格納先管理情報６０から識別子５７と優
先度５９（設定されている場合）を抽出し、格納先管理データ５６が１つの場合を説明す
る。
【００２５】
ステップ３１にて、格納先管理データ５６が１つの場合は、ステップ３２にて格納先を
１つに特定することが可能となる。
【００２６】
たとえば、格納先管理データ５６が１つのため、識別子５７から格納先を特定すること
ができる。図６において、契約者ＩＤ５１の「００２」を有するレコードは、格納先管理
データ５６が「０１」の１つであり、その識別子５７が「１」である格納先５８の「メモ
リ」が特定された格納先となる。
【００２７】
ステップ３３において、特定された格納先の残容量を算出し、配信情報の情報容量５２
とを比較する。
【００２８】
特定された格納先の残容量が大きい場合は、ステップ３４において、その特定された格
納先に情報を格納され、ステップ３５において、格納された旨のメッセージを端末装置８
もしくは携帯端末装置４の画面上に表示する。
【００２９】
ステップ３３において、特定された格納先の残容量が少ない場合は、その特定された格
納先に情報を格納不可となるため、ステップ３９において、格納されない旨のエラーメッ
セージを端末装置８もしくは携帯端末装置４の画面上に表示する。
【００３０】
次に、ステップ３１において、受信した情報の格納先管理情報６０が２つ以上の場合を
説明する。
【００３１】
格納先管理情報６０が２つ以上の場合は、ステップ３６において、識別子５７と優先度
５９の組み合わせから優先度５９に基づいて格納先を特定する。
【００３２】
ステップ３７において、特定された格納先の残容量を算出し、配信情報の情報容量５２
とを比較する。
【００３３】
特定された格納先の残容量が大きい場合は、ステップ３４において、その特定された格
納先に情報を格納され、ステップ３５において、格納された旨のメッセージを端末装置８
もしくは携帯端末装置４の画面上に表示する。
【００３４】
ステップ３７において、特定された格納先の残容量が少ない場合は、その特定された格
納先に情報を格納不可となるため、ステップ３８において、さらに、優先度５９に基づい
て格納先を特定する。ステップ３８において、特定可能な場合は、ステップ３７を実施す
る。優先度５９が設定されていない特定不可となる場合は、ステップ３９において、格納
不可の旨のエラーメッセージを端末装置８もしくは携帯端末装置４の画面上に表示する。
【００３５】
たとえば、図６において、契約者ＩＤ５１の「００１」を有するレコードは、格納先管
理データ５６が「０１」と「０２」、「０３」の３つであり、その識別子５７の「１」の
優先度５９は「１」であり、その識別子５７の「２」の優先度５９は「２」であり、その
識別子５７の「３」の優先度５９は「３」である。優先度５９の「２」に基づいて、格納
先を格納先５８である「ＩＣカード２」と特定できる。
【００３６】
ステップ３７で、特定された格納先の残容量を算出し、配信情報の情報容量５２とを比
較し、特定された格納先の残容量が大きい場合は、ステップ３４において、その特定され
た格納先に情報を格納され、ステップ３５において、格納された旨のメッセージを端末装
置８もしくは携帯端末装置４の画面上に表示する。
【００３７】
ステップ３７において、特定された格納先の残容量が少ない場合は、その特定された格
納先に情報を格納不可となるため、ステップ３８において、さらに、優先度５９に基づい
て格納先を特定する。ステップ３８において、格納先を特定可能な場合は、ステップ３７
を実施する。優先度５９が設定されていない特定不可となる場合は、ステップ３９におい
て、格納不可の旨のエラーメッセージを端末装置８もしくは携帯端末装置４の画面上に表
示する。
【図面の簡単な説明】
【００３８】
【図１】本発明による端末装置の媒体へ情報を格納する情報配信サーバシステムのシステム構成例を示す図である。
【図２】本発明による端末装置の媒体へ情報を格納する情報配信サーバシステムにおける情報配信サーバの主要な処理フローを示す図である。
【図３】本発明による端末装置の媒体へ情報を格納する情報配信サーバシステムにおける端末装置の主要な処理フローを示す図である。
【図４】情報管理テーブルの構成例を示す図である。
【図５】配信スケジュール管理テーブルの構成例を示す図である。
【図６】格納先管理テーブルの構成例を示す図である。
【図７】配信情報の構成例を示す図である。
【符号の説明】
【００３９】
１…情報配信サーバ、２…情報配信プログラム、３…情報配信生成プログラム、４…携
帯端末装置、５…格納媒体（メモリ）、６−１〜６−ｎ…格納媒体（不揮発性メモリカー
ド）、７…格納制御プログラム、８…端末装置、９…通信回線。
【図１】
2005331997.tif 000003
【図２】
2005331997.tif 000004
【図３】
2005331997.tif 000005
【図４】
2005331997.tif 000006
【図５】
2005331997.tif 000007
【図６】
2005331997.tif 000008
【図７】
2005331997.tif 000009